(57)【要約】【課題】  データを記載したチケットからデータを読み取って、この読み取ったデータに基づいて景品払出機により所定の景品と交換可能なチケットリーダを提供する。【解決手段】  チケットの搬送ユニット５、読み込みユニット６、駆動ユニット５１、電源ユニット７１、及びこれらのユニットを制御する制御ユニット７２等が収設された筐体３と、前記筐体３に開閉可能に蝶着された蓋体２とを備え、データの読み込みを終了したチケットの排出方向を、前記筐体３の後方と下方とに切り換える排出口切換ユニット８を設け、データの読み込みを終了したチケットに、処理済みである刻印を付加するためにスプロケット５４で構成した刻印手段を前記搬送ユニット５に設けた。【選択図】    図７
2006120079.tif 000002
【特許請求の範囲】
【請求項１】
ネットワークを介して遊技店の管理システムに接続され、チケットに記載されたデータに基づいて景品払出機から自動的に景品を払い出すためのチケットリーダであって、
チケットの搬送ユニット、読み込みユニット、駆動ユニット、電源ユニット、及びこれらのユニットを制御する制御ユニット等が収設された筐体と、
前記筐体に開閉可能に蝶着された蓋体と、を備え、
データの読み込みを終了したチケットの排出方向を、前記筐体の後方と下方とに切り換える排出口切換ユニットを設けたことを特徴とするチケットリーダ。
【請求項２】
ネットワークを介して遊技店の管理システムに接続され、チケットに記載されたデータに基づいて景品払出機から自動的に景品を払い出すためのチケットリーダであって、
チケットの搬送ユニット、読み込みユニット、駆動ユニット、電源ユニット、及びこれらのユニットを制御する制御ユニット等が収設された筐体と、
前記筐体に開閉可能に蝶着された蓋体と、を備え、
データの読み込みを終了したチケットに、処理済みである刻印を付加するための刻印手段を、前記搬送ユニットに設けたことを特徴とするチケットリーダ。
【請求項３】
データの読み込みを終了したチケットに、処理済みである刻印を付加するための刻印手段を、前記搬送ユニットに設けた請求項１に記載のチケットリーダ。
【発明の詳細な説明】
【技術分野】
【０００１】
本発明は、遊技店で使用するチケットリーダに関し、特に、遊技店において、遊技者が遊技を行って獲得した遊技媒体を計数し、この計数データ等を記載したチケットにより、特定の景品と交換する際に使用するチケットリーダに関するものである。
【背景技術】
【０００２】
遊技店では、遊技媒体としてパチンコ玉やメダルを用いてパチンコ遊技やスロット遊技を行って獲得したパチンコ玉やメダルを、計数器に投入して計数し、この計数データ等を計数器に付設されたプリンタにより、チケットに印字して遊技者に提供している。そして、遊技者は、受け取ったチケットに基づいて、タバコや食品或はブランド品や日用品等、所望の景品と交換している。
【０００３】
ところで、景品の交換に際しては、前記計数データ等を記入したチケットを、遊技店の店員に渡して交換しているのが現状であるが、遊技媒体を投入することによって、チケットを介さずに特定の景品と交換する景品交換装置が、例えば特許文献１によって提案されている。
【０００４】
【特許文献１】特開平７−３０８４５３号公報
【発明の開示】
【発明が解決しようとする課題】
【０００５】
しかしながら、従来の景品交換装置では、遊技媒体を景品交換装置まで運ばなければならないし、予め特定の景品と交換すると決めた状態でそのための景品交換装置に遊技媒体を投入しなければならない。従って、景品を決定していない状態で、取り敢えず計数してチケットを受け取っておくことはできない。そして、チケットを景品に交換する際には、店員の手を介さなければならないのが現状であった。
【０００６】
本発明が解決しようとする課題は、データを記載したチケットからデータを読み取って、この読み取ったデータに基づいて景品払出機により所定の景品と交換可能なチケットリーダを提供することを目的とする。
【課題を解決するための手段】
【０００７】
請求項１に係る発明は、ネットワークを介して遊技店の管理システムに接続され、チケットに記載されたデータに基づいて景品払出機から自動的に景品を払い出すためのチケットリーダであって、チケットの搬送ユニット、読み込みユニット、駆動ユニット、電源ユニット、及びこれらのユニットを制御する制御ユニット等が収設された筐体と、前記筐体に開閉可能に蝶着された蓋体と、を備え、データの読み込みを終了したチケットの排出方向を、前記筐体の後方と下方とに切り換える排出口切換ユニットを設けたことを特徴とする。
請求項２に係る発明は、ネットワークを介して遊技店の管理システムに接続され、チケットに記載されたデータに基づいて景品払出機から自動的に景品を払い出すためのチケットリーダであって、チケットの搬送ユニット、読み込みユニット、駆動ユニット、電源ユニット、及びこれらのユニットを制御する制御ユニット等が収設された筐体と、前記筐体に開閉可能に蝶着された蓋体と、を備え、データの読み込みを終了したチケットに、処理済みである刻印を付加するための刻印手段を、前記搬送ユニットに設けたことを特徴とする。
請求項３に係る発明は、前記請求項１の構成に加えて、データの読み込みを終了したチケットに、処理済みである刻印を付加するための刻印手段を、前記搬送ユニットに設けたものである。
【発明の効果】
【０００８】
本発明は、チケットの搬送ユニット、読み込みユニット、駆動ユニット、電源ユニット、及びこれらのユニットを制御する制御ユニット等が収設された筐体と、前記筐体に開閉可能に蝶着された蓋体と、を備え、データの読み込みを終了したチケットの排出方向を、前記筐体の後方と下方とに切り換える排出口切換ユニットを設けたので、計数データ等を記載したチケットから当該計数データ等を読み取り、このデータに基づいてネットワークを介した景品払出機により所定の景品と交換可能である。また、読み込みの終了したチケットの排出方向を、遊技店の要望に応じて変更可能である。更に、読み込みの終了したチケットに、処理済みである刻印を付加して、処理済みのチケットと未処理のチケットを一目で識別可能であり、不正利用を防止できる。
【発明を実施するための最良の形態】
【０００９】
本発明は、チケットの搬送ユニット、読み込みユニット、駆動ユニット、電源ユニット、及びこれらのユニットを制御する制御ユニット等が収設された筐体と、前記筐体に開閉可能に蝶着された蓋体とを備えるチケットリーダにおいて、データの読み込みを終了したチケットの排出方向を、前記筐体の後方と下方とに切り換える排出口切換ユニットを設け、読み込みの終了したチケットを筐体の後方または下方に排出すると共に、読み取ったデータに基づいてネットワークを介して景品払出機から所定の景品を払い出し可能なチケットリーダを実現した。
また、チケットの搬送ユニット、読み込みユニット、駆動ユニット、電源ユニット、及びこれらのユニットを制御する制御ユニット等が収設された筐体と、前記筐体に開閉可能に蝶着された蓋体とを備えるチケットリーダにおいて、データの読み込みを終了したチケットに、処理済みである刻印を付加するためにスプロケットで構成した刻印手段を前記搬送ユニットに設け、刻印の有無により読み込みの終了したチケットと読み取り前のチケットとを目視ににより識別可能にすると共に、読み取ったデータに基づいてネットワークを介して景品払出機から所定の景品を払い出し可能なチケットリーダを実現した。
【実施例】
【００１０】
図１は本発明に係るチケットリーダの正面図、図２は同側面図、図３は同平面図、図４は同背面図、図５同底面図である。
本発明に係るチケットリーダ１は、例えば図２に示すように、開閉可能な傾斜状の蓋体２とほゞ矩形の筐体３とからなる。
【００１１】
筐体３は、前板部３１と左右の側板部３２、３２と背板部３３と底板部３４とからなる上面が開放する奥行のある深箱状であって、前板部３１には蓋体２を施錠する施錠装置１１が設けられ、背板部３３には、後述するチケットＰを後方に排出するための後部排出口３３１が開設されると共に、前記チケットＰをガイドする案内カバー３３２が取り付けられ、底板部３４には、下方に排出されたチケットＰが落下する底部排出口３４１及び後述するネットワーク用のケーブル（図示せず）を取り出す配線口３４２が開設されている。
【００１２】
蓋体２は、後方をヒンジ２１（図１０等参照）によって蝶着されて、前記筐体３の上面開口部分を開閉可能に止着されており、前方部分にチケットＰの受入口２２と、後述するネットワークを介して特定の景品と交換するための交換ボタン２３と、を備えている。
【００１３】
図６は、本発明に係るチケットリーダ１を用いる遊技店における管理システムの構成図である。遊技店における管理システムは、管理コンピュータ（以下、サーバー４１と言う）を中心に、ハブ４２を介したネットワークにより構築されている。即ち、このネットワークには、遊技店が登録会員に対して発行した会員カードに基づいて、パチンコ玉によるパチンコ遊技、及びメダルによるスロット遊技を行ない、また景品等と交換するための種々の機器が接続されている。
【００１４】
ネットワークには、例えば、遊技者である会員のＩＤ（Identification：識別情報）等を読み込みサーバー４１と通信する会員カード処理機４３と、遊技者が遊技の結果として得たメダルを投入し、この投入されたメダルを計数し、計数したメダル数データをサーバー４１へ送信するメダル計数機４４ｍと、メダルを払い出す貯メダル再プレー機４５ｍとが接続されている。
【００１５】
また、パチンコ遊技を行なう遊技者のために、パチンコ玉を払い出す貯玉再プレー機４５ｔと、縦型玉計数機４４ｔと、置型玉計数機４４ｏとが接続され、遊技者が、自分の貯留しているメダル或いはパチンコ玉を確認するための照会用会員カード処理機４３ｓや、貯留しているメダル及びパチンコ玉を用いてコーヒー等のドリンクや他の商品を自動販売機から購入するための自販機用会員カード処理機４３ｊ及びドリンク等自販機４３ｄが接続されている。更に、ネットワークには、有人ＰＯＳ４６１及び無人ＰＯＳ４６２が接続され、会員カード処理機４３及びＰＯＳ端末４６３によって、希望の商品と交換することができる。
【００１６】
そして、このネットワークには、メダル計数機４４ｍまたは玉計数機４４ｔが書き込んだレシート状の景品交換チケット（以下、チケットＰと略称する）からデータを読み込むための、本発明に係るチケットリーダ１が接続されている。また、ネットワークには、前記チケットＰに記載されたデータに基づいて決められた景品を払い出すための景品払出機４７が接続され、ＰＯＳ端末４６３及び会員カード処理機４３を介して景品を自動的に払い出すことができる。
【００１７】
本発明に係るチケットリーダ１を構成する前記筐体３の内部には、チケットＰの搬送ユニット５と、読み込みユニット６と、駆動ユニット５１、電源ユニット７１、及びこれらのユニットを制御する制御ユニット７２が収設されている。また、読み込みの終了したチケットＰの排出方向を切り換える排出口切換ユニット８が設けてある。
【００１８】
搬送ユニット５は、受け入れたチケットＰを後方へ向けて搬送するための搬送レール５２に、駆動プーリ５１１及び従動プーリ５１２を設け、両プーリ５１１、５１２に搬送ベルト５１３を架設し、更にチケットＰの姿勢を正したり搬送ベルト５１３に圧接させる押圧ローラ５１４（図９参照）等により構成してあり、またチケットＰを検出するセンサ５１５が設けてある。尚、図示の実施例では、搬送ユニット５の後方に、副搬送ユニット５′を設けている。この副搬送ユニット５′は、前記駆動プーリ５１１の駆動歯車と噛合する歯車によって同期して回転する副駆動プーリ５１１′と、この副駆動プーリ５１１′に対応する副従動プーリ５１２′と、両副プーリ５１１′、５１２′に架設した副搬送ベルト５１３′、及び押圧ローラ５１４′等によって構成してある。しかし、搬送ユニット５は、一連のユニットとしてもよいし、更に分割したユニットとしてもよい。
【００１９】
駆動ユニット５１は、駆動モータ５３を備え、該駆動モータ５３と前記駆動プーリ５１１とがギヤ機構によって連動する。
【００２０】
搬送ユニット５の上方には、読み込みユニット６が臨んでいる。読み込みユニット６は、チケットＰに記載されたデータを、光学的に読み出す。具体的には、玉計数機４４ｔやメダル計数機４４ｍで計数した玉数やメダル数等のデータを、バーコードとして記載されたチケットＰから、前記データを読み出すのである。そして、この読み出したデータは、前記ネットワークを通じて、遊技店のサーバー４１に送信される。尚、読み込みユニット６の主要部であるリーダ部６１は、市販のバーコードリーダを利用できる。そして、図示の実施例では、リーダ部６１を取付板６２に着脱自在に取り付けて前記読み込みユニット６を構成している。尚、前記データには、発券した機器ＩＤや計数した日時等を含んでいる。
【００２１】
図１１に示すように、本発明に係るチケットリーダ１では、一度読み込んだチケットＰを一目で識別できるように、処理済みの刻印を付加する刻印手段を設けている。この刻印手段は、例えば、複数の突起を有するスプロケット５４を駆動プーリ５１１と同軸に設けてチケットＰの搬送路に臨ませると共に，スプロケット５４に対応する受圧ローラ５５により構成している。従って、搬送路をチケットＰが通過する際に、突起がチケットＰを押圧して、チケットＰに筋状若しくは点状の痕跡を残す。そこで、チケットＰを見て、痕跡の有無を確認すれば、読み取りの終ったチケットＰか否かを簡単に識別できる。尚、チケットＰからデータの読み取りが行なわれると、読み取りデータがサーバー４１に送信されて処理されるので、二重に景品の払出等が行なわれることはなく、チケットＰの不正利用は不可能である。
【００２２】
読み取りの終了したチケットＰは、チケットリーダ１から排出される。しかし、チケットリーダ１の設置場所は、遊技店によって異なる。即ち、遊技店によっては、チケットリーダ１の後方にスペースがなかったり、チケットリーダ１の下方を利用できない場合がある。そこでが、本発明に係るチケットリーダ１には、遊技店の要望に応じて、チケットＰの排出方向を切り換える排出口切換ユニット８が設けてある。
【００２３】
この排出口切換ユニット８は、平板状のベース部８１と、円弧状に湾曲したガイド部８２とを有し、回動軸８３を支点に回動可能である。そこで、チケットＰを後方に排出する場合には、図１２に示すように、ベース部８１を搬送レール５２と平行に設置する。一方、チケットＰを下方に排出する場合には、図１３に示すように、ガイド部８２が搬送路を遮るように設置する。尚、排出口切換ユニット８の設置は、例えば図１４、１６に示すスプリング８４等によって行っている。
【００２４】
ベース部８１が搬送レール５２と平行に設置されていると、チケットＰが、ベース部８１の上側を搬送レール５２に沿って後方へ搬送され、筐体３の背板部３３に開設した後部排出口３３１から排出される。背板部３３には案内カバー３３２が設けてあるので、後部排出口３３１から排出されたチケットＰは、前記案内カバー３３２により排出方向が変えられて下方へ落下する。そして、前記案内カバー３３２には、例えば、いわゆるマグネットクリップ３３４を設け、このマグネットクリップ３３４により回収袋３３５を吊下げる（図１４、図１５参照）。このようにしておけば、排出されたチケットＰを回収袋３３５に回収することができ、廃棄処分等を容易に行うことができる。また、回収袋３３５として、スーパーマーケットやコンビニエンスストア等で提供されるいわゆるポリ袋を利用することができ、資源の有効活用に適用できる。
【００２５】
また、図１６に示すように、チケットリーダ１をカウンタ９に載置し、チケットＰを下方に排出して回収したい場合には、図１３に示すように、排出口切換ユニット８の円弧形のガイド部８２で搬送路を遮り、ベース部８１が搬送レール５２と交差するように排出口切換ユニット８を、回動軸８３を支点にして回動させて固定すればよい。このような配置によれば、ガイド部８２の曲面によってチケットＰの排出方向が変更され、筐体３の底板部３４に開設した底部排出口３４１から排出されるチケットＰを、カウンタ９に開設した開口部９１を通して、カウンタ９内に配置した回収ボックス９２に回収することができる。
【００２６】
前記のようなチケットリーダ１によれば、データの読み出しが終了して処理の終ったチケットＰを、遊技店の要望に応じて、簡単な操作によって、チケットリーダ１の後方へも、チケットリーダ１の下方へも、排出させて回収することができる。
【００２７】
また、本発明は、データが読み出されて処理済みのチケットＰに対して、処理済みである刻印を付加する刻印手段を設けているので、刻印の有無によって処理済みのチケットと未処理のチケットとを一目で識別可能である。
【００２８】
次に、本発明に係るチケットリーダ１による景品との交換方法を簡単に説明する。遊技を終えて特定の景品との交換を望む遊技者は、パチンコ玉或はメダルを玉計数機４４ｔまたはメダル計数機４４ｍに投入することにより、計数データ等を記載したチケットＰを受け取る。
【００２９】
遊技者は、受け取ったチケットＰを、チケットリーダ１の受入口２２に挿入し、交換ボタン２３を押下する。すると、チケットリーダ１では、搬送ユニット５がチケットＰを内部に取り込んでデータを読み込み、読み込んだデータをサーバー４１に送信する。また、データが読み込まれたチケットＰには、スプロケット５４で構成した刻印手段により刻印が付加される。一方、データを受信したサーバー４１では、受信したデータを照合した後、景品払出機４７に払出命令を送って、景品払出機４７から所定の景品を払い出す。
【００３０】
そして、読み取りが終了して刻印の付加されたチケットＰは、排出口切換ユニット８の設定に従って排出方向が定められ、後部排出口３３１からチケットリーダ１の後方へ、または底部排出口３４１から下方に排出されて、回収袋３３５または回収ボックス９２にそれぞれ回収される。
【図面の簡単な説明】
【００３１】
【図１】本発明に係るチケットリーダの正面図である。
【図２】本発明に係るチケットリーダの側面図である。
【図３】本発明に係るチケットリーダの平面図である。
【図４】本発明に係るチケットリーダの背面図である。
【図５】本発明に係るチケットリーダの底面図である。
【図６】遊技店のシステム構成図である。
【図７】チケットリーダの内部構成を説明する側面図である。
【図８】チケットリーダの要部を説明する側面図である。
【図９】チケットリーダの要部を説明する平面図である。
【図１０】チケットリーダの内部構成を説明する背面図である。
【図１１】チケットに刻印を付加する刻印手段の説明図である。
【図１２】チケットを後方へ排出する場合の説明図である。
【図１３】チケットを下方へ排出する場合の説明図である。
【図１４】チケットを後方へ排出する状態を示す一部を欠截した側面図である。
【図１５】チケットを後方へ排出する状態を示す一部を欠截した背面図である。
【図１６】チケットを下方へ排出する状態を示す一部を欠截した側面図である。
【符号の説明】
【００３２】
１  チケットリーダ
２  蓋体
３  筐体
５  搬送ユニット
６  読み込みユニット
８  排出口切換ユニット
２１  ヒンジ
２２  受入口
２３  交換ボタン
３１  前板部
３２  側板部
３３  背板部
３４  底板部
４１  サーバー
４７  景品払出機
５１  駆動ユニット
５２  搬送レール
５３  駆動モータ
５４  スプロケット
５５  受圧ローラ
６１  リーダ部
８１  ベース部
８２  ガイド部
８３  回動軸
３３１  後部排出口
３３２  案内カバー
３４１  底部排出口
【図１】
2006120079.tif 000003
【図２】
2006120079.tif 000004
【図３】
2006120079.tif 000005
【図４】
2006120079.tif 000006
【図５】
2006120079.tif 000007
【図６】
2006120079.tif 000008
【図７】
2006120079.tif 000009
【図８】
2006120079.tif 000010
【図９】
2006120079.tif 000011
【図１０】
2006120079.tif 000012
【図１１】
2006120079.tif 000013
【図１２】
2006120079.tif 000014
【図１３】
2006120079.tif 000015
【図１４】
2006120079.tif 000016
【図１５】
2006120079.tif 000017
【図１６】
2006120079.tif 000018